(57)【要約】【課題】商品の厚み寸法にかかわらず希望する残個数を正確に報知可能とするマガジンおよび表示用移動部材を提供する。【解決手段】複数の商品（たばこ商品６０）が前後方向に搭載される搭載部１０と、これに沿って前後移動する押板２０と、押板２０を前方に付勢する付勢部材であるリール５０と、を備えるマガジン１００は、搭載部１０に搭載される複数の商品のうち任意に選択された一の商品の前面、上面、および側面の少なくともいずれかに当接して付設される表示用移動部材３０を備える。表示用移動部材３０は、任意に選択された一の商品の前進に連動して表示用移動部材３０が前進し、任意に選択された一の商品が搭載部１０の前端に到達するとき、表示用移動部材３０も前端に到達する。【選択図】図１
2014161609.tif 000002
【特許請求の範囲】
【請求項１】
複数の商品が前後方向に一列に搭載される搭載部と、前記搭載部に沿って前後移動するように設けられた押板と、前記押板を前方に付勢する付勢部材と、を備えるマガジンであって、
前記搭載部に搭載されている複数の前記商品のうち任意に選択された一の商品の前面、上面、および側面の少なくともいずれかに当接して付設される表示用移動部材を備え、
前記表示用移動部材は、表示部を有し、
任意に選択された前記一の商品の前進に連動して前記表示用移動部材が前進し、前記一の商品が最前位置に到達することにより、前記表示用移動部材も前記搭載部の最前部に到達することを特徴とするマガジン。
【請求項２】
前記表示用移動部材は、任意に選択された前記一の商品と、当該商品の前側に隣り合う他の商品との間に挟持される挟持領域を有する請求項１に記載のマガジン。
【請求項３】
前記挟持領域の一部に前記表示部を備える請求項２に記載のマガジン。
【請求項４】
前記挟持領域から連続するとともに、商品の外郭より外側に突出して露出する露出部を有し、
前記露出部の少なくとも一部が前記表示部である請求項２または３に記載のマガジン。
【請求項５】
前記搭載部は、前記商品の並列方向を規定する側壁部を備え、
前記露出部は、搭載される前記商品の右側に突出する右側面露出部および左側に突出する左側面露出部を含み、
前記右側面露出部および前記左側面露出部には、前記側壁部の上端部に係合する係合部が形成されており、前記上端部と前記係合部とを係合させることによって、前記表示用移動部材が支持される請求項４に記載のマガジン。
【請求項６】
前記表示用移動部材は、第一磁性体部を有し、
前記搭載部の前端に到達した前記表示用移動部材における前記第一磁性体部と磁力により引き合う第二磁性体部が前記搭載部の前端近傍に設けられている請求項１から５のいずれか一項に記載のマガジン。
【請求項７】
前記表示用移動部材は、下端に前記第一磁性体部を有し、
前記搭載部は、前記商品を支持する底板部を有するとともに、前端部近傍に前記第二磁性体を有し、
前記底板部の上に沿って前方に摺動する前記表示用移動部材は、前記第一磁性体部と前記第二磁性体部とが引き合うことによって、起立姿勢を補助される請求項６に記載のマガジン。
【請求項８】
前記押板と前記搭載部の前端とを連結する連結部材を備え、
一方、前記表示用移動部材が、前記挟持領域の下方において前記商品の下側に突出するとともに前後方向に貫通する貫通孔が設けられた下側突出部を有し、
前記連結部材が前記貫通孔を貫通している請求項２から７のいずれか一項に記載のマガジン。
【請求項９】
前記付勢部材が巻きバネを含み、
前記連結部材が、前記巻きバネまたは前記巻きバネからの延長部材である請求項８に記載のマガジン。
【請求項１０】
前記挟持領域を含む挟持面の厚みが、
前記搭載部において前記押板の最後部位置から最前部位置までの商品搭載可能領域における前後方向の最大距離の値から、一つの前記商品の厚み寸法に前記搭載部に搭載可能な前記商品の最大数を乗じた長さの値を引いた値以下である請求項２から９のいずれか一項に記載のマガジン。
【請求項１１】
前記表示用移動部材が、前記商品の上面および両側面の３か所に当接可能な凹部を有し、
前記商品の上面側から前記凹部を前記商品に当接させることにより前記表示用移動部材を載置して付設可能である請求項１に記載のマガジン。
【請求項１２】
前記表示用移動部材は、前記表示部よりも前方方向に位置する表示予告部および前記表示部と前記表示予告部を連結する腕部を備える請求項１から１１のいずれか一項に記載のマガジン。
【請求項１３】
前記腕部が、一方方向に伸長する長尺部材であり、
前記長尺部材の前端は、上方または下方に任意の角度で屈曲する屈曲端を有し、
前記表示予告部は、前記屈曲端を含む請求項１２に記載のマガジン。
【請求項１４】
複数の商品が前後方向に一列に搭載される搭載部と、前記搭載部に沿って前後するように設けられた押板と、前記押板を前方に付勢する付勢部材と、を備えるマガジンに用いられる表示用移動部材であって、
前記搭載部に搭載される前後に隣り合う前記商品の間に挟持される挟持部を有し、
前記挟持部が、商品の幅寸法以下の幅寸法および前記搭載部の前端部の高さ寸法以上の高さ寸法を備え、
前記搭載部の前記前端部に位置するとき、前記前端部より露出する面が表示部であることを特徴とする表示用移動部材。
【請求項１５】
複数の商品が前後方向に一列に搭載される搭載部と、前記搭載部に沿って前後するように設けられた押板と、前記押板を前方に付勢する付勢部材と、を備えるマガジンに用いられる表示用移動部材であって、
前記商品の上面および両側面の３か所に当接可能な凹部を有し、
前記商品の上面側から前記凹部を前記商品に当接させることにより載置されるとともに、載置された状態において前記マガジンの正面側から視認される面を表示部となすことを特徴とする表示用移動部材。
【請求項１６】
前記表示部よりも前方方向に位置する表示予告部および前記表示部と前記表示予告部を連結する腕部を備える請求項１４または１５に記載の表示用移動部材。
【請求項１７】
前記腕部が、一方方向に伸長する長尺部材であり、
前記長尺部材の前端は、上方または下方に任意の角度で屈曲する屈曲端を有し、
前記表示予告部は、前記屈曲端を含む請求項１６に記載の表示用移動部材。
【発明の詳細な説明】
【技術分野】
【０００１】
本発明は、複数の商品が前後方向に一列に搭載されるマガジンおよび表示用移動部材に関し、特に、搭載される商品残数が任意に決定した数以下となったことを表示報知するマガジンおよび表示用移動部材に関する。
【背景技術】
【０００２】
コンビニエンスストアなどの店舗では、様々な商品がいわゆる什器（商品陳列棚）に陳列されている。
多様な商品のうち、例えばたばこ商品などの特定の商品を陳列するための什器は、電子キャッシュレジスタなどの販売処理装置が載置されたレジカウンタ上またはその周辺に配置されることが一般的である。ここでいうたばこ商品とは、実際に喫煙される紙巻たばこではなく、複数の紙巻たばこを収容している直方体状のパッケージを意味している。
【０００３】
什器の棚には、複数の商品を前後方向に一列に搭載するための商品搭載用の容器が複数設置される。上記商品搭載用の容器は一般的にはマガジン、カートリッジまたはホルダーなどと呼ばれている。以下、かかる容器をマガジンと呼称する。
【０００４】
ところでマガジンに搭載された商品の残数が減ってくると、店舗従業員は、商品を適宜補充する必要がある。したがって商品の個数を人為的に数えなくとも、商品の残数が減ってきたことを認識したいという要望があった。これに対し、マガジンに設けられた部材の所定の動作により、搭載部に搭載されている商品が所定個数以下となったことを表示可能とする技術が提案されている。
【０００５】
たとえば特許文献１には、載品台の下部に、渦巻状の板バネの巻体が係着され、上記巻体から繰り出された板バネが載品台の端部に設けられている連通口を経由して載品台の上部の押出体の下部の係止部に係止される商品繰り出し器が開示されている。上記商品繰り出し器は、板バネにより商品を押して整列保持し、商品が取り出されると板バネの巻き戻し力により、後続の商品が前方へ押し出される作用を発揮する。ここで、上記商品繰り出し器は、載品台の下部の端部にスカート部を備え、そのスカート部の所定位置に透孔を有し、当該透孔から巻き出された板バネを視認可能とする。これとともに、透孔と当接する巻バネの部分に、搭載される商品数（即ち商品残数）に見合った数字を付しておくことにより、残個数表示を可能とする商品繰り出し器（以下、「従来技術１」ともいう）が開示されている。
【先行技術文献】
【特許文献】
【０００６】
【特許文献１】実開平３−６９４５９号公報
【発明の概要】
【発明が解決しようとする課題】
【０００７】
しかし従来技術１には、以下の課題があった。即ち、従来技術１は、特定の銘柄（あるいは標準的な寸法の銘柄）の商品の厚み寸法により搭載部に搭載される商品残数を確認し、搭載される残数に見合った数字を巻バネに付して、これを透孔から視認可能とするものである。したがって、上記特定の銘柄の商品の替わりに、異なる厚み寸法の他の銘柄の商品を上記商品繰り出し器に搭載した場合には、巻バネに付された数字の表出するタイミングと、実際の商品残数とが異なってしまうのである。
即ち、従来のマガジンにおける残数表示は、特定の銘柄の商品の厚み寸法により表示される残数が設定され、搭載される商品の厚み方向の距離の変動とマガジンに設けられた部材の所定の動作とを関連付けて残数表示するものであった。しかしかかるマガジンに、厚み寸法の異なる他の銘柄の商品を搭載した場合には、希望する商品残数が正確に表示されないという課題があった。
【０００８】
本発明は上述のような課題に鑑みてなされたものである。即ち、商品の厚み寸法にかかわらず、希望する残個数を正確に報知可能とするマガジンおよび表示用移動部材を提供することを課題とする。
【課題を解決するための手段】
【０００９】
本発明のマガジンおよび表示用移動部材は、実際に搭載される商品において、前後方向に並列する複数の商品のうち任意に選択する商品自体を指標とすることを可能とし、指標となる当該商品の前進移動に連動して前進し、商品残数を報知可能とすることを趣旨とする。
【００１０】
本発明のマガジンは、複数の商品が前後方向に一列に搭載される搭載部と、上記搭載部に沿って前後移動するように設けられた押板と、上記押板を前方に付勢する付勢部材と、を備えるマガジンであって、上記搭載部に搭載されている複数の上記商品のうち任意に選択された一の商品の前面、上面、および側面の少なくともいずれかに当接して付設される表示用移動部材を備え、上記表示用移動部材は、表示部を有し、任意に選択された上記一の商品の前進に連動して上記表示用移動部材が前進し、上記一の商品が最前位置に到達することにより、上記表示用移動部材も上記搭載部の最前部に到達することを特徴とする。
【００１１】
また本発明の表示用移動部材は、複数の商品が前後方向に一列に搭載される搭載部と、上記搭載部に沿って前後するように設けられた押板と、上記押板を前方に付勢する付勢部材と、を備えるマガジンに用いられる表示用移動部材であって、上記搭載部に搭載される上記商品間に挟持される挟持部を有し、上記挟持部が、商品の幅寸法以下の幅寸法および上記搭載部の前端部の高さ寸法以上の高さ寸法を備え、上記搭載部の上記前端部に位置するとき、上記前端部より露出する面が表示部であることを特徴とする。
また本発明の表示用移動部材は、複数の商品が前後方向に一列に搭載される搭載部と、上記搭載部に沿って前後するように設けられた押板と、上記押板を前方に付勢する付勢部材と、を備えるマガジンに用いられる表示用移動部材であって、上記商品の上面および両側面の３か所に当接可能な凹部を有し、上記商品の上面側から上記凹部を上記商品に当接させることにより載置されることを特徴とする。
【発明の効果】
【００１２】
本発明のマガジンは、前後方向に並列して搭載される複数の商品の中から、任意に選択された商品を指標として表示用移動部材を付設可能とし、当該商品の前進に連動して上記表示用移動部材を前進させることができる。そして、当該商品が搭載部における最前位置に到達することにより、表示用移動部材も搭載部の最前部に到達する。このとき、表示用移動部材はマガジン前方から視認可能である。
したがって、本発明における残数表示内容は、商品の厚み寸法に左右されず、希望する商品残数を勘案して選択された任意の商品の、後方からの整列順に基づいて行うことができる。このため、本発明のマガジンは、搭載される商品が報知希望の数となったことを商品の厚み寸法によらずに正確に報知することができる。
【００１３】
また本発明の表示用移動部材は、商品の厚み寸法に左右されず、希望する商品残数を勘案して選択された任意の商品の、後方からの整列順に基づいて行う残数表示機能を、任意のマガジンに容易に付与することができる。
【図面の簡単な説明】
【００１４】
【図１】第一実施形態に係るマガジンの側面図であり、搭載されている複数の商品が所定数Ｎになる前の状態を示す。
【図２】第一実施形態に係る上面図である。
【図３】第一実施形態に係るマガジンの側面図であり、搭載されている複数の商品が所定数Ｎであるときの状態を示す。
【図４】第一実施形態に係るマガジンの正面図であり、搭載されている複数の商品が所定数Ｎであるときの状態を示す。
【図５】第一実施形態に係るマガジンにおける表示用移動部材の正面図である。
【図６】第二実施形態に係るマガジンにおける表示用移動部材の正面図である。
【図７】第二実施形態に係るマガジンの側面図であり、搭載されている複数の商品が所定数Ｎになる前の状態を示す。
【図８】第二実施形態に係る上面図であり、搭載されている複数の商品が所定数Ｎになる前の状態を示す。
【図９】第二実施形態に係るマガジンの側面図であり、搭載されている複数の商品が所定数Ｎであるときの状態を示す。
【図１０】第二実施形態に係る裏面図であり、搭載されている複数の商品が所定数Ｎであるときの状態を示す。
【図１１】第二実施形態に係るマガジンの正面図であり、搭載されている複数の商品が所定数Ｎであるときの状態を示す。
【図１２】（１２Ａ）は、第三実施形態に係るマガジンにおける表示用移動部材の正面図であり、（１２Ｂ）は、第三実施形態に係るマガジンの概略部分斜視図であり、搭載されている複数の商品が所定数Ｎになる前の状態を示し、（１２Ｃ）は、第三実施形態に係るマガジンの概略部分斜視図であり、搭載されている複数の商品が所定数Ｎであるときの状態を示す。
【図１３】（１３Ａ）は、第四実施形態に係るマガジンにおける表示用移動部材の正面図であり、（１３Ｂ）は、第四実施形態に係るマガジンの概略部分斜視図であり、搭載されている複数の商品が所定数Ｎになる前の状態を示し、（１３Ｃ）は、第四実施形態に係るマガジンの概略部分斜視図であり、搭載されている複数の商品が所定数Ｎであるときの状態を示す。
【図１４】（１４Ａ）は、第五実施形態に係るマガジンにおける表示用移動部材が商品に付設された状態を示す斜視図であり、（１４Ｂ）は、第五実施形態における表示移動部材の裏面図である。
【図１５】（１５Ａ）は、表示予告部を備える表示用移動部材の正面図であり、（１５Ｂ）は、マガジンの概略部分斜視図であり、搭載されている複数の商品が所定数Ｎになる前の状態を示し、（１５Ｃ）は、マガジンの概略部分斜視図であり、搭載されている複数の商品が所定数Ｎであるときの状態を示す。
【発明を実施するための形態】
【００１５】
以下、本発明の第一実施形態から第五実施形態について、図面を用いて説明する。すべての図面において、同様の構成要素には同一の符号を付し、重複する説明は適宜に省略する。尚、本実施の形態では図面上、前後左右上下の方向を規定して説明する場合がある。しかし、これは構成要素の相対関係を簡単に説明するために便宜的に規定するものであり、本発明を実施する製品の製造時や使用時の方向を限定するものではない。特にマガジンに関連する前後は、マガジンの正面側を前方向、背面側を後方向とする。またマガジンに関連する左右は、マガジンの幅方向であって正面側から観察したときの左右をいう。
【００１６】
本発明のマガジンあるいは本発明の表示用移動部材の各種の構成要素は、個々に独立した存在である必要はない。本発明は、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００１７】
＜第一実施形態＞
第一実施形態は、本発明のマガジンの一の実施態様の例に関し、第一実施形態の説明には図１から図５を用いる。
図１および図２は、搭載部１０に搭載される商品であるたばこ商品６０を、所定数Ｎ（Ｎは自然数）を超えて搭載しているマガジン１００を示す図であり、図１は側面図、図２は上面図である。図３および図４は、搭載部１０に搭載される商品であるたばこ商品６０を、ちょうど所定数Ｎだけ搭載しているマガジン１００を示す図であり、図３は側面図、図４は正面図である。図５は、マガジン１００に付設される表示用移動部材３０の正面図である。図２では、たばこ商品６０および表示用移動部材３０の図示を省略している。
尚、本実施形態は、たばこ商品６０の残数表示として、搭載されるたばこ商品６０の残数が３個以下であることを示す例として説明する。即ち、本実施形態において、上記所定数Ｎは３である。また後述する他の実施形態においても特段の言及がない場合にはＮが３の場合を例に説明する。
【００１８】
マガジン１００は、複数の商品（たばこ商品６０）が前後方向に一列に搭載される搭載部１０と、搭載部１０に沿って前後移動するように設けられた押板２０と、押板２０を前方に付勢する付勢部材（リール５０）と、を備える。そしてマガジン１００は、搭載部１０に搭載されている複数の商品（たばこ商品６０）のうち任意に選択された一の商品（たばこ商品６０）の前面、上面、および側面の少なくともいずれかに当接して付設される表示用移動部材３０を備える。表示用移動部材３０は、表示部３１を有する。表示用移動部材３０は、任意に選択された一の商品（たばこ商品６０）の前進に連動して表示用移動部材３０が前進し、一の商品が搭載部１０における最前位置到達することにより、表示用移動部材３０も搭載部１０の最前部に到達する。このとき表示部３１は、マガジン１００の正面側から視認される。
【００１９】
本実施形態において、上記搭載部１０の最前部とは、マガジン１００の前後方向において、搭載部１０の前端面の内側面からたばこ商品６０の一つ分の厚み寸法分の距離までを含む領域である。
【００２０】
かかる表示用移動部材３０を備えるマガジン１００であれば、表示報知される残個数を任意に決定することができる。即ち、表示報知を希望する残個数Ｎに相当する数であるＮを基準値とし、搭載部１０において搭載されるたばこ商品６０の後方からの整列順がＮ番目のたばこ商品６０を任意のたばこ商品６０（即ち、指標）として選択することができる。
そして表示用移動部材３０が上記任意のたばこ商品６０の前面、上面、および側面の少なくともいずれかに当接して付設される。
任意に選択されたたばこ商品６０が、最前位置、即ち搭載部１０の最前部に到達することにより、表示用移動部材３０も搭載部１０の最前部に到達し、マガジン１００の正面側から視認されることによって、残個数がＮになったことを表示報知することができる。
本実施態様におけるマガジン１００では、任意に選択されたたばこ商品６０とともに表示用移動部材３０が前進するため、たばこの厚み寸法に左右されることなく表示報知を希望する残個数Ｎを正確に表示報知することができる。
【００２１】
特に本実施態様に係るマガジン１００は、以下の優れた効果を発揮する。即ち、複数のマガジン１００を什器に設置するなどして上下および幅方向に配列してマガジン群を構成し、マガジン１００毎に種々の銘柄のたばこ商品を搭載する場合、オペレータは以下のような望ましい使用態様を実施することができる。
オペレータは、マガジン群において種々の銘柄のたばこ商品を取り扱う場合に、銘柄毎の厚み寸法によらず、いずれのマガジン１００においても同一の残個数表示がなされることを実現することができる。より具体的には、たとえばマガジン群におけるいずれのマガジン１００においても、前後方向に搭載されるたばこ商品のうち、後ろから３番目の商品を指標として表示用移動部材３０を付設することができる。これにより、いずれのマガジン１００においても、搭載されるたばこ商品が３個以下となったことを確実に報知することができる。したがって、マガジン群に含まれる複数のマガジン１００において、示される残個数が異なるということを回避することができる。
【００２２】
表示用移動部材３０は、任意に選択された一のたばこ商品６０と、当該一のたばこ商品６０の前側に隣り合う他のたばこ商品６０との間に挟持される挟持領域である挟持部３２を有している。
本実施形態における表示用移動部材３０は板状体であって、表示用移動部材３０の全体が挟持部３２となっている。板状態である表示用移動部材３０は、上下方向に伸長の長方形の形状の下端に二本の脚部３３を有した形状をしている。ただし、たばこ商品６０の前面形状に平面内で包含されるその他の形状に適宜、変更することが可能である。表示用移動部材３０の幅寸法をさらに大きくし、たばこ商品６０の幅寸法と同等の幅寸法とすることもできる。
【００２３】
挟持部３２を備える表示用移動部材３０は、マガジン１００に付設された際、付設の姿勢を任意に選択された一のたばこ商品６０と、一つ前方に位置する他のたばこ商品６０との間に挟まれて付設の姿勢が容易に維持される。
【００２４】
本実施形態における挟持部３２は板状体である。挟持部３２の厚みは、搭載部１０において押板２０の位置から最前部位置までの商品搭載可能領域における前後方向の最大距離の値から、一つのたばこ商品６０の厚み寸法に搭載部１０に搭載可能なたばこ商品６０の最大数を乗じた長さの値を引いた値以下である。
即ち、一般的に搭載部１０は、最大数のたばこ商品６０が搭載されたとき、たばこ商品６０の厚み寸法に満たない余白スペースが存在する。余白スペースは、押板が搭載されたたばこ商品６０を前方に押して整列させた状態では視認されないが、押板を最後部位置に押し下げたときにできる若干の隙間として確認することができる。上記余白スペースは、たばこ商品６０の厚み寸法の２分の１以下であることが好ましく、４分の１以下であることがより好ましい。
【００２５】
上述する範囲の厚みである挟持部３２であれば、搭載部１０にたばこ商品６０が最大数搭載された状態で、たばこ商品６０の形状を損傷することなく、任意に選択されたたばこ商品６０とその１つ前に整列する他のたばこ商品６０との間に挟むことができる。
上記厚みの範囲であれば、挟持部３２をさらに折りたたみ構造とすることもできる。即ち、広げたときの面積はたばこ商品６０の前面の形状を平面内において包含する形状であるが、折畳んだ場合に当該前面の形状に平面内において包含される形状とするこができる。
【００２６】
次に、本実施形態にかかるマガジン１００において、搭載部１０におけるたばこ商品６０の残個数がＮ個以下となったことが表示報知されることが望まれる場合の、表示用移動部材３０の付設について説明する。
【００２７】
本実施形態において、残個数がＮ個以下となったことを表示報知させる場合には、任意に選択された一の商品（たばこ商品６０）は、搭載部１０において搭載されるたばこ商品６０であって前後方向において後ろからＮ番目に位置するたばこ商品６０である。表示用移動部材３０は、後ろからＮ番目に位置するたばこ商品６０とそれより１つ前に位置する他のたばこ商品６０との間に挟持部３２を挟むことによって付設される。このとき表示用移動部材３０における挟持部３２は、上記後ろからＮ番目に位置するたばこ商品６０の前面に当接する。
【００２８】
続いて、付設された表示用移動部材３０の前方向への移動について説明する。
マガジン１００において、搭載部１０の前方よりたばこ商品６０が取り出されると、押板２０の押力により搭載されている他のたばこ商品６０が前方に押されて前進する。表示用移動部材３０は、上記後ろからＮ番目に位置するたばこ商品６０の前面に当接した状態で、当該たばこ商品６０の前進に連動して前進する。図１は、搭載されたたばこ商品６０が残り５個となったときの状態を示しており、Ｎは３である。このとき、表示用移動部材３０は、たばこ商品６０間に全体が挟持されているため、マガジン１００の正面側から視認されない。
【００２９】
図１の状態からさらにたばこ商品６０が取り出され、たばこ商品６０の残数が残り３個となったとき、上記後ろから３番目に位置するたばこ商品６０が搭載部１０における最前位置到達することにより、表示用移動部材３０も搭載部１０の最前部に到達する。かかる状態は、図３および図４に示される。搭載部１０の最前部に到達した表示用移動部材３０は、搭載部１０の前壁部１３における後板部１３ｂの裏面と後ろから３番目に位置するたばこ商品６０の前面との間に位置する。即ち、表示用移動部材３０も搭載部１０の最前部に到達する。搭載部１０の最前部に到達した表示用移動部材３０がマガジン１００の正面側から視認されることにより、これと当接するたばこ商品６０が搭載部１０の後方からＮ番目の商品であること、および搭載されるたばこ商品６０の残数がＮ個であることを表示報知する。
【００３０】
本実施形態にかかる表示用移動部材３０は、挟持領域である挟持部３２の一部に表示部３１を備える。
表示部３１は、表示用移動部材３０が搭載部１０の最前部に到達したときに、マガジン正面側から視認される、挟持部３２の一部分である。より具体的には、表示用移動部材３０における表示部３１は、表示用移動部材３０が搭載部１０の最前部に到達したときに、搭載部１０の前壁部１３の上端より上方向に露出する部分である。
【００３１】
表示部３１は、たばこ商品６０の残個数がＮ個を上回るときは、たばこ商品６０間に挟まれてマガジン正面から全く視認されず非表示状態である。一方、搭載部１０において後方よりＮ＋１個目のたばこ商品６０が取り出されたときに露出して表示状態となる。したがって表示部３１の非表示状態と表示状態との変化が明白であり、残個数Ｎ個以下となったことの表示報知が明瞭である。
【００３２】
ここで表示用移動部材３０は、第一磁性体部９０を有している。第一磁性体部９０は、表示用移動部材３０における表示部３１の下方に設けられている。即ち、表示用移動部材３０が搭載部１０の最前部に到達したとき、前壁部１３に対面する位置に第一磁性体部９０が設けられている。
一方、搭載部１０の前端に到達した表示用移動部材３０における第一磁性体部９０と磁力により引き合う第二磁性体部９１が搭載部１０の前端近傍に設けられている。本実施形態では、第二磁性体部９１は、前壁部１３を構成する後板部１３ｂの裏面側に設けられている。本実施形態では、第二磁性体部９１は、表示用移動部材３０が搭載部１０の前端に到達したときに、第一磁性体部９０と対面する位置に設けられている。
【００３３】
表示用移動部材３０に設けられる第一磁性体部９０、および搭載部１０の前端近傍に設けられる第二磁性体部９１は、表示用移動部材３０が搭載部１０の最前部に到達したときに互いに対面して引き合うことによって吸引部９２を構成する（図３参照）。吸引部９２が構成されることによって、表示用移動部材３０の起立姿勢を維持することに貢献する。たとえば吸引部９２は、表示用移動部材３０が搭載部１０の最前部に到達したあと、さらにたばこ商品６０が取り出されるときに、取り出されるたばこ商品６０に釣られて表示用移動部材３０が搭載部１０から落脱することを防止することができる。
【００３４】
第一磁性体部９０および第二磁性体部９１の少なくとも一方は永久磁石であり、他方は永久磁石または磁化されていない強磁性材料もしくはフェリ磁性材料である。第一磁性体部９０および第二磁性体部９１がともに永久磁石である場合、表示用移動部材３０と搭載部１０の前端とが相互に引き寄せ合うよう、第一磁性体部９０および第二磁性体部９１の極性を異極とする。
【００３５】
表示用移動部材３０は、上述のとおり板状体であって全体が挟持部３２となっている。また図５から理解容易であるが、表示用移動部材３０は、上部には表示部３１が設けられており、下部には二本の脚部３３が設けられている。二本の脚部３３の下面は、たばこ商品６０の下面が当接する部分と同じ部分に当接する。マガジン１００には、搭載部１０の底板部１１の上であって前後方向に連続する突条部１６が設けられており、二本の脚部３３の下面は、たばこ商品６０の下面は突条部１６の上端に接しながら前進する。
【００３６】
二本の脚部３３の間には、任意の構成として底面凹部３４が設けられている。底面凹部３４が設けられることによって、表示用移動部材３０が略平面状である底板部１１の上に直接に当接して前進する態様においては、底面の摩擦を減少させることができる。表示用移動部材３０は、底面凹部３４を省略し、略直線の下面を含む一本の脚部３３を備えることもできる。かかる場合には、一本の脚部３３の任意の箇所に、突条部１６が当接する。
【００３７】
以下に、本実施形態におけるマガジン１００の詳細な構造について、さらに詳細に説明する。
本実施形態に係るマガジン１００は、搭載部１０、押板２０、付勢部材としてのリール５０、および表示用移動部材３０を備えている。搭載部１０は、複数の商品（例えば、たばこ商品６０）が前後方向に一列に搭載されるトレーである。押板２０は、搭載部１０に沿って前後に移動するように設けられている。付勢部材（リール５０）は、押板２０を前方に付勢する手段である。表示用移動部材３０は、搭載部１０に対して移動可能に付設されている。表示用移動部材３０は、付勢部材（リール５０）により前方に付勢されて前進する押板２０の押力により前進するたばこ商品６０の前進に連動して前進する。押板２０は、最後列の商品（たばこ商品６０ｂ）の背面を前方に付勢する。最前列の商品（たばこ商品６０ａ）が搭載部１０から取り出されると、押板２０は残りの商品を前方に移動させる。
【００３８】
表示用移動部材３０は、搭載部１０に搭載されているたばこ商品６０の個数が所定数Ｎ以下であることを表示報知する表示部３１を有している。また表示用移動部材３０は、全体が挟持部３２である。
表示部３１は、表示用移動部材３０が前進に移動して搭載部１０の前端に到達したときマガジン１００の正面側から視認可能な位置にあり、表示状態である。一方、表示用移動部材３０が搭載部１０の前端に到達する前は、たばこ商品６０の間に挟持されて非表示状態である。
本実施形態は、表示部３１がマガジン１００の正面側から視認可能となることによって、搭載されるたばこ商品の残数が少なくなったことをオペレータに報知する。即ち、表示部３１が表示状態となったことによって、残数がＮ個以下となったことをオペレータに知らせる。
【００３９】
図１から図４に示すように、搭載部１０は、上方に向けて開口する半筐体状に形成されている。搭載部１０は、たばこ商品６０を支持する底板部１１と、左右一対の側壁部１２と、底板部１１の前端に対して垂直に設けられた前壁部１３と、底板部１１の後端に対して垂直に設けられた後壁部１４と、を有する。
前壁部１３の前板部１３ａは底板部１１の前端より上方に向けて垂直に起立している。後板部１３ｂは、前板部１３ａから僅かに後方に離間した位置において底板部１１より垂直に起立している。
前壁部１３は、二重の板状部、すなわち前板部１３ａおよび後板部１３ｂからなる。
前壁部１３の前板部１３ａは底板部１１の前端より上方に向けて垂直に起立している。後板部１３ｂは、前板部１３ａから僅かに後方に離間した位置において底板部１１より垂直に起立している。
前板部１３ａと後板部１３ｂとの間には、商品ラベル（図示略）などが差し込まれるラベルホルダ１７が形成されている。
後壁部１４も、二重の板状部、すなわち前板部１４ａおよび後板部１４ｂからなる。
後壁部１４の前板部１４ａは底板部１１の後端に対して直交するように設けられ、後壁部１４の後板部１４ｂは、前板部１４ａから僅かに後方に離間した位置において前板部１４ａと一体的に設けられている。
前板部１４ａと後板部１４ｂとの間には、商品ラベル（図示略）などが差し込まれるラベルホルダ１８が形成されている。
左右の側壁部１２は、底板部１１の左右両端に対してそれぞれ直交するように設けられ、底板部１１よりも上方に起立し、且つ、底板部１１よりも下方へ垂下している。
搭載部１０は、更に、底板部１１の下面より下方に突出したブレード１９を有している。ブレード１９は、マガジン１００が什器に設置される際に、マガジン１００の底面の所定の位置に設けられた凹部と係合させて、マガジン１００の設置姿勢を係脱可能に維持するための部材である。
【００４０】
搭載部１０は、底板部１１と、左右の側壁部１２と、前壁部１３の後板部１３ｂと、後壁部１４の前板部１４ａと、により囲まれた半筐体状の領域に、複数のたばこ商品６０を縦置きで前後に列をなすように収容可能となっている。例えば、搭載部１０には、最大で標準寸法の１５個のたばこ商品６０を搭載（収容）可能となっている。たばこ商品６０は銘柄により厚み寸法が異なる場合がある。しかし、本実施態様における表示用移動部材３０は、搭載されるたばこ商品６０が任意に決定した残数となったことを、たばこ商品６０の厚み寸法に左右されずに、正確に表示報知できることは上述のとおりである。
【００４１】
底板部１１には、底板部１１に押板２０を連結するためのスリット１１ａが、前後方向に延在するように形成されている。このスリット１１ａは、例えば、底板部１１の幅方向中央に位置している。
底板部１１の上面におけるスリット１１ａの両脇には、底板部１１の上面より上方に起立し、前後方向に延在する突条部１６が形成されている。たばこ商品６０は、これら突条部１６間に架設されるようにして、搭載部１０に搭載される。また、表示用移動部材３０も、二本の脚部３３の底面が突条部１６の上端に接し、これら突条部１６間に架設されるようにして、搭載部１０に付設される。たばこ商品６０は、押板２０により前方に移動される際に、これら突条部１６と、左右の側壁部１２と、にガイドされて前方に摺動する。
一方、表示用移動部材３０は、幅寸法が左右の側壁部１２、１２間の距離よりも小さく形成されている。ただし、表示用移動部材３０の幅寸法を左右の側壁部１２、１２間の距離と略同等となるよう形成し、これら突条部１６と、左右の側壁部１２と、にガイドされて表示用移動部材３０を前方に移動させることもできる。あるいは、表示用移動部材３０の２本の脚部３３の底面に、突条部１６の上端と係合する凹部を設けることによって、表示用移動部材３０が幅方向にずれることを防止し突条部１６によってガイドされて前方に移動させることもできる。
【００４２】
突条部１６の前端部は、前方に向けて上り傾斜した傾斜部１６ａとなっており、最前列に前送りされたたばこ商品６０（たばこ商品６０ａ）はこの傾斜部１６ａの傾斜に沿って上方に持ち上げられるようになっている。また、最前列に前送りされたたばこ商品６０（たばこ商品６０ａ）に当接して付設された表示用移動部材３０も、同様に、この傾斜部１６ａの傾斜に沿って上方に持ち上げられるようになっている。
たばこ商品６０ａの上端面は、たばこ商品６０ａの後ろから最後列に搭載されるたばこ商品６０ｂまでにおける他のたばこ商品６０の上端面より、傾斜部１６ａの傾斜高さの分だけ高い位置にある。
底板部１１の前端部上面において、左右の突条部１６の間の部分には、リール５０の後述する留め具５２を係止固定する係止部１１ｂが形成されている。この係止部１１ｂは、例えば、左右の突条部１６の傾斜部１６ａの間に配置され、傾斜部１６ａよりも上には突出していない。このため、係止部１１ｂがたばこ商品６０の移動を阻害しないようになっている。
【００４３】
押板２０は、底板部１１と連結された状態で、底板部１１に沿って前後移動するように設けられている。
図１から図３に示すように押板２０は、底板部１１と平行に配置され底板部１１の上面に対して摺動する摺動板２１と、この摺動板２１の前端より垂直に起立するように設けられ最後列のたばこ商品６０ｂの背面を前方に付勢する背板２２を有する。そして、摺動板２１との協働で底板部１１を挟持する図示省略する挟持体と、リール５０を保持するリール保持部２５と、を有する。尚、上記挟持体と摺動板２１とは、図示省略する連結部によって連結されている。上記連結部は、その左右幅が、摺動板２１および挟持体の左右幅よりも狭く、かつスリット１１ａの左右幅よりも若干狭くなるよう形成されている。これにより、連結部がスリット１１ａに嵌め込まれることにより、摺動板２１と挟持体とにより底板部１１におけるスリット１１ａの左右縁部を上下から挟持した状態で、押板２０がスリット１１ａに沿って前後方向に移動可能となっている。
換言すれば、押板２０の底部は、スリット１１ａを上下に貫通し、且つ、底板部１１においてスリット１１ａの幅方向に隣接する縁部を上下から（摺動板２１と挟持体とにより）挟み込んでいる。
【００４４】
押板２０のリール保持部２５には、リール５０が嵌着されている（図２）。リール５０のリール紐５１は、背板２２の適切な箇所に形成された図示しない開口を介して、背板２２の前方に導出されている。
リール紐５１の先端には、留め具５２が固定されている。この留め具５２は、底板部１１の前端部上面に設けられた係止部１１ｂに係止固定されている。リール５０のケース５３内には、図示しない板バネが渦巻き状に巻き取られた巻バネが収納され、その巻バネの一端に、巻バネからの延長部材であるリール紐５１の基端部が連結されている。押板２０と搭載部１０の前端とは、リール紐５１により連結されており、リール紐５１は、連結部材である。
巻バネは、リール紐５１をケース５３内に引き込む方向へと、リール紐５１を付勢している。このため、押板２０は、リール紐５１により、前方に（係止部１１ｂ側に）引っ張られている。この引っ張り力により、押板２０の背板２２が最後列のたばこ商品６０（たばこ商品６０ｂ）の背面を前方に付勢している。
搭載部１０のたばこ商品６０が残り１個になったときに、このたばこ商品６０を搭載部１０における最前位置移動できるように、押板２０の移動範囲が設定されている。
リール紐５１は、左右一対の突条部１６の間、またはスリット１１ａ内において前後方向に延在し、突条部１６により支持されるたばこ商品６０と干渉しないようになっている。
【００４５】
表示用移動部材３０の表示部３１は、搭載部１０のたばこ商品６０が所定数Ｎ以下であることを表示報知する。
この所定数Ｎは、搭載部１０に搭載可能なたばこ商品６０の最大数の範囲において、オペレータにより任意に決定することができる。
例えば、所定数Ｎは、５個以下であることが好ましく、また４個以下であることがより好ましく、さらに好ましい例としては３個であることが挙げられる。上述のように、搭載部１０には、例えば、最大で１５個のたばこ商品６０を搭載可能であり、この場合、搭載部１０へのたばこ商品６０の最大搭載数（１５）から所定数Ｎ（例えば３個或いは４個或いは５個）を差し引いた数が１０以上の構成となる。
たばこ商品６０は、一般的に、カートン単位でまとめて包装され、１カートンのたばこ商品６０は一般的に１０個である。このため、搭載部１０のたばこ商品６０の残数が所定数Ｎ以下になったことが表示報知された段階で、１カートン分（つまり１０個）のたばこ商品６０を余すことなく搭載部１０に補充することができる。
【００４６】
表示部３１は、例えば、マガジン１００において表示状態にある表示部３１の周囲に視認されるマガジンの他領域に対し、明度、彩度および色相のうち少なくともいずれか１つが異なる色が着色された着色部とすることができる。またたばこ商品６０のフェースは銘柄ごとにデザインや色味が異なるため、表示部３１の色は、搭載部１０の前壁部１３において示される色やデザインを勘案して決定することができる。
この着色部は、オペレータによる視認性が良好となるように、例えば、赤色などの目立つ色彩とすることが好ましく、これにより、好適に残数の報知が可能となる。
【００４７】
ところで、本実施形態において用いられる表示用移動部材３０は、以下の構成を備えるマガジン１００における残個数表示部材として用いることができる。即ち、マガジン１００は、複数の商品が前後方向に一列に搭載される搭載部１０と、搭載部１０に沿って前後するように設けられた押板２０と、押板２０を前方に付勢する付勢部材であるリール５０と、を備える。
表示用移動部材３０は、搭載部１０に搭載される商品間に挟持される挟持部３２を有し、挟持部３２が、商品の幅寸法以下の幅寸法および搭載部１０の前端部の高さ寸法以上の高さ寸法を備える。そして、表示用移動部材３０は、搭載部１０の前端部に位置するとき、当該前端部より露出する面が表示部３１となっている。
【００４８】
表示用移動部材３０は、挟持部３２が搭載部１０に搭載される任意の商品と、当該商品の一つ前に位置する他の商品との間に挟持されることによって、容易にマガジン１００に付設することができる。換言すれば、表示用移動部材３０をマガジン１００に付設するにおいて、マガジン１００に特段の構成を要しない。したがって規定の機能として残個数表示機能を備えない任意のマガジンに、表示用移動部材３０を用いることによって、容易に任意のマガジンにおいて残個数表示機能を付与することができる。
【００４９】
ところで本実施形態において、オペレータが表示用移動部材３０をマガジン１００に付設する際の位置決めの目安として、予め側壁部１２に付設領域を示す標準の指標を設けてもよい。指標はたとえば側壁部１２の外側面に、指標となる着色が施された着色部として形成することができる。上記指標は、一か所または二か所以上であってよく、複数の指標を設けることにより搭載される銘柄が変更になった場合に適宜対応可能である。より具体的には、例えば標準的な寸法のたばこ商品６０に関し残個数がＮ個以下であることを表示用移動部材３０で表示報知する場合には、以下のような標準の指標を付すことができる。即ち上記標準の指標は、搭載部１０に最大に搭載された複数のたばこ商品６０のうち、後方からＮ個目のたばこ商品６０の側面に沿う側壁部１２の外側面に目印となる着色部あるいはシールなどでマークすることによって形成することができる。あるいは、上記後方からＮ個目のたばこ商品６０と後方からＮ＋１個面のたばこ商品６０との境界に沿う側壁部１２の外側面に上述と同様に指標を設けてもよい。
【００５０】
＜第二実施形態＞
本実施形態に係るマガジン２００は、以下に説明する点でのみ上記の第一実施形態に係るマガジン１００と相違し、その他の点では第一実施形態に係るマガジン１００と同様に構成されている。
図６から図１１を用いて第二実施形態を説明する。図６は、マガジン２００に付設される表示用移動部材７０の正面図である。図７および図８は、搭載部１０に搭載される商品であるたばこ商品６０を、所定数Ｎを上回って搭載しているマガジン２００を示す図であり、図７は側面図、図８は上面図である。図９から図１１は、搭載部１０に搭載される商品であるたばこ商品６０を、ちょうど所定数Ｎだけ搭載しているマガジン２００を示す図であり、図９は側面図、図１０は裏面図、図１１は正面図である。図８および図１０では、たばこ商品６０の図示を省略している。
【００５１】
本実施形態において用いられる表示用移動部材７０は、図６に示すとおり、挟持部７６、脚部７３、挟持部７６および脚部７３を連結する連結部７４を備える。挟持部７６に対し、脚部７３および連結部７４は、たばこ商品６０の下側に突出する下側突出部７９である。
挟持部７６は、符号７２で表される高さ寸法が、マガジン２００の前壁部１３の高さ寸法よりも小さく、搭載部１０の最前端に位置したときに、前壁部１３の裏面に位置する。挟持部７６は、横方向に長身であって、中心より右側に表示部７１を備える。表示部７１は、マガジン２００の前壁部１３に設けられた窓部７７から視認可能な部位である。表示部７１の視認については後段にて詳述する。また挟持部７６の略中央には第一磁性体部９０が設けられており、第一実施形態と同様に、マガジン２００に設けられた第二磁性体部９１とともに吸引部９２を構成可能である。
連結部７４は、上下方向に伸長する二本の棒状体で構成されており、棒状体の間は貫通する開口部７８となっている。換言すると、挟持部７６の下方に設けられた下側突出部７９には開口部７８が設けられている。連結部７４の変形例としては、挟持部７６と脚部７３とをつなぐ面として連結部７４を構成し、当該面の幅方向の略中央に縦長の開口部７８を設けることもできる。開口部７８の開口形状は、表示用移動部材７０が搭載部１０を前後方向に移動する際、いずれの位置においても、開口部７８を貫通する連結部材であるリール紐５１と開口部７８との当接を回避可能な形状とする。
連結部７４の左右幅は、マガジン２００のスリット１１ａの左右幅より若干狭い。二本の棒状体である連結部７４は、その下端に設けられている脚部７３により開口部７８の下端を閉じるよう結合されている。連結部７４の高さおよび開口部７８の高さは、マガジン２００における突条部１６の頂点から傾斜部１６ａの頂点までの距離よりも若干大きい。
脚部７３は、左右方向に伸長し、上記二本の棒状体間の開口部７８を閉じるとともに、連結部７４の左右幅よりも大きく、且つ搭載部１０の左右幅よりも小さい。即ち、脚部７３の左右幅は、マガジン２００のスリット１１ａの左右幅よりも大きい。
【００５２】
表示用移動部材７０は上述する構成を備えることにより、挟持部７６が底板部１１の上、脚部７３が底板部１１の下に位置するように、連結部７４をスリット１１ａに嵌め込むことができる。つまり、挟持部７６と脚部７３とにより底板部１１におけるスリット１１ａの左右縁部を上下から挟持した状態で、表示用移動部材７０がスリット１１ａに沿って前後方向に移動可能となっている。
換言すれば、表示用移動部材７０の底部は、スリット１１ａを上下に貫通し、且つ、脚部７３においてスリット１１ａの幅方向に隣接する縁部を上下から（挟持部７６と脚部７３とにより）挟み込んでいる。かかる構成により、表示用移動部材７０は、マガジン２００に係合した状態となり、たばこ商品６０とともに搭載部１０から抜き取られ、あるいは、搭載部１０から落脱することが防止される。
【００５３】
ところでマガジン２００は、押板２０と搭載部１０の前端とを連結する連結部材であるリール紐５１を有している。リール紐５１は、たばこ商品６０の下方において前後方向に伸長し、たばこ商品６０の下面とは接しないよう位置している。
一方、表示用移動部材７０の挟持領域である挟持部７６は、たばこ商品６０の下側に突出する下側突出部７９を有している。下側突出部７９には前後方向に貫通する貫通孔である開口部７８が設けられている。連結部材であるリール紐５１は開口部７８を貫通する。これにより、表示用移動部材７０は、マガジン２００に係合した状態となり、たばこ商品６０とともに搭載部１０から抜き取られ、あるいは、搭載部１０から落脱することが防止される。尚、表示用移動部材７０が前後に移動する際に、リール紐５１が開口部７８と接触する虞のある場合には、これを回避するための切欠部７５を開口部７８の周縁に設けるとよい。本実施形態は搭載部１０の前端において傾斜部１６ａを有しており、表示用移動部材７０が傾斜部１６ａの傾斜を上がるとき、開口部７８の周縁上部とリール紐５１が近接するため、切欠部７５が設けられている。
また本実施形態の変形例として、以下の態様が挙げられる。図示省略するが、マガジン２００は、上記連結部材として搭載部１０の前後方向に伸長する長身部材であって、前後移動する押板２０の前後方向へのガイド部材を設けることができる。押板２０と前壁部１３との間において、上記ガイド部材を開口部７８に貫通させてもよい。かかる場合には、開口部７８とガイド部材とが接する場合、接しない場合のいずれも包含する。
【００５４】
マガジン２００は、付勢部材として巻きバネが内蔵されるリール紐５１を備え、連結部材として巻きバネからの延長部材であるリール紐５１が上記貫通孔である開口部７８を貫通する。かかる構成の変形例としては、付勢部材が巻きバネ自体であり、巻きバネを構成する板バネが連結部材として開口部７８を貫通してもよい。あるいは押板２０と搭載部１０の前端とを連結するその他の連結部材が開口部７８を貫通して上記係合がなされてもよい。
尚、本実施形態では、表示用移動部材７０がマガジン２００において二か所で係合する例を示したが、係合する箇所が少なくとも一か所あることによって、落脱防止等の効果を得ることができる。
【００５５】
次に、搭載部１０における表示用移動部材７０の付設および移動について説明する。また、併せて表示用移動部材７０の残数表示についても説明する。
【００５６】
表示用移動部材７０は、上述のとおりマガジン２００と常時係合しており、また搭載部１０の前後方向に移動可能である。搭載部１０に搭載される複数のたばこ商品６０から任意のたばこ商品６０を決定し、この任意のたばこ商品６０の前面に当接する位置に表示用移動部材７０を位置するよう手動にて移動させる。そして任意のたばこ商品６０とその一つ前方に位置する他のたばこ商品６０との間に挟持部７６を挟持させることによって表示用移動部材７０をマガジン２００に付設する。つまり、後方より所定数Ｎのたばこ商品６０と、これより前方に搭載される他のたばこ商品６０との間に表示用移動部材７０が位置するよう、表示用移動部材７０を手動にて移動させる。本実施形態において所定数Ｎは具体的には３であり、手動で移動させた表示用移動部材７０を後方より３番目と４番目のたばこ商品６０の間に挟持部７６を挟持させる。
【００５７】
このとき、挟持部７６の下端７０２は、底板部１１の上面に当接する。より具体的には、下端７０２は、突条部１６の頂点に当接する。たばこ商品６０の前進に連動して下端７０２が突条部１６の上を前方に摺動し、表示用移動部材７０が前進する。また、開口部７８において、リール紐５１は開口部７８の上方であって、かつ開口部７８に当接しない位置を貫通する。
【００５８】
たばこ商品６０が前方から抜き取られ、搭載されるたばこ商品６０の残数が所定数Ｎ、つまり３個となったとき、表示用移動部材７０は、後方より３番目のたばこ商品６０に押されて傾斜部１６ａの傾斜を登り、搭載部１０の前端に到達する。上述のとおり連結部７４の高さは、マガジン２００における突条部１６の頂点から傾斜部１６ａの頂点までの距離よりも若干大きい。したがって、連結部７４をスリット１１ａに嵌め込んだ状態で、連結部７４の高さは傾斜部１６ａの高さを許容し、表示用移動部材７０が搭載部１０の後方から前端部まで移動することを可能とする。
【００５９】
リール紐５１と突条部１６との高さの差異よりも、リール紐５１と傾斜部１６ａの頂点との高さの差異の方が大きい。これに対し、開口部７８の高さは、マガジン２００における突条部１６の頂点から傾斜部１６ａの頂点までの距離よりも若干大きくなっている。したがって、開口部７８にリール紐５１が貫通した状態で、表示用移動部材７０が傾斜部１６ａの傾斜を登って搭載部１０の前端に到達したとき、開口部７８とリール紐５１とは当接しない。
【００６０】
例えば図１１に示されるように、前壁部１３には、右側に窓部７７が設けられている。搭載部１０の前端に表示用移動部材７０が、搭載部１０の前端に到達すると、窓部７７を通じて表示部７１が正面側から視認される。これによって搭載されるたばこ商品６０が残り３個以下になったことが表示報知される。
窓部７７から表示部７１の挟持部に設けられた表示部が視認される本実施形態によれば、表示部７１が前壁部１３より上に露出するたばこ商品６０のフェースに重なることがない。
【００６１】
表示部７１および前壁部１３の色は特に限定されない。たとえば、互いのコントラストを明確にすることによって表示部７１の視認性を向上させることができ、明度および彩度の少なくともいずれか一方が異なることが好ましい。具体的には、例えば前壁部１３の少なくとも窓部７７の周囲の色を黒やグレーなどの無彩色とし、一方、表示部７１の色を、有色とすることができる。中でも有色の表示部７１の色として、赤や黄色などの彩度が高い色を選択することが好ましい。
【００６２】
窓部７７は、繰り抜きの開口部であってもよいし、無色透明の部材あるいは表示部７１の表示を邪魔しない範囲である有色透明の部材を用いて構成してもよい。
【００６３】
＜第三実施態様＞
本実施形態に係るマガジン３００は、以下に説明する点でのみ上記の第一実施形態に係るマガジン１００と相違し、その他の点では第一実施形態に係るマガジン１００と同様に構成されている。
図１２を用いて第三実施形態を説明する。図１２Ａは、本実施形態に係るマガジン３００における表示用移動部材８０の正面図である。図１２Ｂは、本実施形態に係るマガジン３００の概略部分斜視図であり、搭載部１０、たばこ商品６０、表示用移動部材８０を含み、搭載されているたばこ商品６０が所定数Ｎになる前の状態を示す説明図である。図１２Ｃは、本実施形態に係るマガジン３００の概略部分斜視図であり、搭載されている複数のたばこ商品６０が所定数Ｎ（具体的には３個）であるときの状態を示す説明図である。
【００６４】
本実施形態において用いられる表示用移動部材８０は、図１２に示すとおり、挟持部８１、右側面露出部８３０、左側面露出部８４０、上端露出部８５０、係合部８３を有する。
挟持部８１は、上部挟持部８１０と下部挟持部８２０とを含む。上部挟持部８１０は、表示用移動部材８０が搭載部１０の前端に到達したとき、前壁部１３より上方に位置し、表示部８２を構成する。下部挟持部８２０は、表示用移動部材８０が搭載部１０の前端に到達したとき、前壁部１３の裏側に位置し、マガジン３００の正面側からは視認されない非表示部である。
【００６５】
表示用移動部材８０は、挟持領域である挟持部８１から連続するとともに、たばこ商品６０の外郭より外側に突出して露出する露出部として、右側面露出部８３０、左側面露出部８４０、上端露出部８５０を有する。これら露出部は、いずれも表示部８２に含まれる。即ち、表示用移動部材８０が搭載部１０の前端に位置するとき、マガジン正面側から視認される表示部８２として、上部挟持部８１０、右側面露出部８３０、左側面露出部８４０、上端露出部８５０を含む。
尚、図１２Ａは、理解容易のために上部挟持部８１０と露出部との境界を点線にて示した。
【００６６】
上記露出部を表示部８２に含むことにより、表示部８２のマガジン正面側からの視認面を拡張することができる。
表示部８２の着色の態様として以下の例が挙げられる。即ち、表示部８２を構成する上部挟持部８１０の一部または全部を無色透明とし、露出部である右側面露出部８３０、左側面露出部８４０、上端露出部８５０のいずれかまたは全部を着色することができる。即ち、上記露出部は、たばこ商品６０のフェースに重ならない領域であるため、着色した場合であってもたばこ商品６０のフェースの視認を妨げない。一方、表示用移動部材８０が搭載部１０の前端に位置するとき、上部挟持部８１０はたばこ商品６０のフェースに重なる領域であるため、一部または全部を無色透明とする。これによって、たばこ商品６０のフェースのマガジン正面側からの視認を実質的に遮ることなく、表示部８２の表示状態を目立たせることができる。
表示部８２の着色の他の態様としては、上部挟持部８１０を着色する態様が挙げられる。これによってさらに残個数が所定数Ｎ以下となったことを確実に目立たせることができる。尚、表示用移動部材８０と前面で当接するたばこ商品６０はマガジン正面側から一時的に視認されなくなるか、視認し難くなることが問題である場合には、例えば以下の対応をとることができる。具体的には、搭載部１０の前端に到達した表示用移動部材８０を確認後、マガジン１００から抜き取り、次に、新しいたばこ商品６０を搭載部１０に搭載するまで別の場所に保管することができる。あるいは別の方法としては、上部挟持部８１０にたばこ商品６０のフェースと同様の図柄を付し、上部挟持部８１０に連続する露出部を特定の色や異なるデザインで着色してもよい。
【００６７】
上記露出部は、たばこ商品６０の外郭より外側に突出しているため、以下のさらなる効果を発揮する。即ち、本実施態様において後方より４個目のたばこ商品６０がオペレータによって搭載部１０より取り出されるとき、当該４個目のたばこ商品６０の背面に位置する表示用移動部材８０の露出部がオペレータの手に触れる。露出部に手が触れた感覚によってオペレータは、取り出そうとするたばこ商品６０の背面に表示用移動部材８０が位置していることを視認せずとも確認することができる。つまり、表示用移動部材８０を視認せずとも、搭載されるたばこ商品６０が所定数Ｎ以下となるタイミングを知ることができる。
【００６８】
搭載部１０は、たばこ商品６０の並列方向を規定する側壁部１２を備える。表示用移動部材８０は、上述のとおり、搭載部１０に搭載されるたばこ商品６０の両側に突出する右側面露出部８３０および左側面露出部８４０を有する。
図１２に示すとおり、本実施態様における右側面露出部８３０および左側面露出部８４０には、側壁部１２の上端部１２ｃに係合する係合部８３が形成されている。上端部１２ｃと係合部８３とを係合させることによって、表示用移動部材８０が支持される。
【００６９】
係合部８３は、表示用移動部材８０の側部８４が上部挟持部８１０の下端より下垂する下垂部８５と、下部挟持部８２０の側面との間に形成される凹部である。
表示用移動部材８０の下端８７は、底板部１１と上端部１２ｃとの中間に位置する。即ち、下端８７は、底板部１１と接してない。しかし、係合部８３と上端部１２ｃとを係合させることによって、表示用移動部材８０を支持することができる。しかも、凹部である係合部８３が上端部１２ｃに沿って摺動するため、表示用移動部材８０は上端部１２ｃにガイドされ前進の移動の際、付設されたときの姿勢が左右方向にぶれることがない。
【００７０】
尚、本実施態様においても必要に応じて、吸引部９２を設けることができる。
【００７１】
＜第四実施形態＞
本実施形態に係るマガジン４００は、以下に説明する点でのみ上記の第一実施形態に係るマガジン１００と相違し、その他の点では第一実施形態に係るマガジン１００と同様に構成されている。
図１３を用いて第四実施形態を説明する。図１３Ａは、本実施形態に係るマガジン４００における表示用移動部材１７０の正面図である。図１３Ｂは、本実施形態に係るマガジン４００の概略部分斜視図であり、搭載部１０、たばこ商品６０、表示用移動部材１７０を含み、搭載されているたばこ商品６０が所定数Ｎ（具体的には３個）になる前の状態を示す説明図である。尚、図１３Ｂにおいて、後方より４番目のたばこ商品６０から最前部に位置するたばこ商品６０までのたばこ商品６０は図示省略している。図１３Ｃは、本実施形態に係るマガジン４００の概略部分斜視図であり、搭載されている複数のたばこ商品６０が所定数Ｎ（具体的には３個）であるときの状態を示す説明図である。
【００７２】
本実施形態において用いられる表示用移動部材１７０は、図１３に示すとおり、挟持部９３により構成されている。即ち、表示用移動部材１７０の全体が挟持部９３となっている。表示用移動部材１７０は、略長方形であって、薄厚みの板状体である。
挟持部９３は、上部挟持部９１０と下部挟持部９２０を備える。上部挟持部９１０は、表示用移動部材１７０が搭載部１０の前端に到達したとき、マガジン４００の正面側から視認される表示部９３０と一致する。一方、下部挟持部９２０は、表示用移動部材１７０が搭載部１０の前端に到達したとき、前壁部１３の背面に位置し、マガジン４００の正面側から視認されない非表示部である。
【００７３】
下部挟持部９２０の下端面９６を含む下部領域には、第一磁性体部９７が設けられている。第一磁性体部９７は下端面９６が磁極面となっている。第一磁性体部９７は、表示用移動部材１７０の幅方向に亘って設けられており、左右方向に伸長する帯状体である。
一方、図１３Ｂに示されるとおり、搭載部１０は、たばこ商品６０を支持する底板部１１を有するとともに、前端部近傍に第二磁性体部９８を有している。底板部１１に沿って前方に摺動する表示用移動部材１７０は、第一磁性体部９７と第二磁性体部９８とが引き合うことによって吸引部９９が構成される。これにより、表示用移動部材１７０は起立姿勢が補助される。
【００７４】
第二磁性体部９８は、第一磁性体部９７と幅寸法が略同等であり、互いに対面可能な位置に設けられている。第二磁性体部９８は、前方側の端部が搭載部１０の前壁部１３に当接しており、これより後方側に延伸している。第二磁性体部９８の後方側の端部の位置は特に限定されず、搭載部１０の前壁部１３と後壁部１４（図１参照）との間の任意の位置であればよい。第二磁性体部９８は第一磁性体部９７とともに吸引部９９を構成することから、表示用移動部材１７０の前後移動領域における底板部１１に第二磁性体部９８が設けられていることが好ましい。特に、前壁部１３よりたばこ商品６０の数個分を載置する底板部１１において第二磁性体部９８が設けられることが好ましい。より具体的には、前方よりたばこ商品６０の５個分の距離、さらには４個分の距離、特には３個分の距離に相当する位置まで、第二磁性体部９８が前壁部１３より延伸していることが好ましい。
底板部１１は、搭載部１０の前端部において上方に傾斜する傾斜面１６０ａを備えており、第二磁性体部９８は傾斜面１６０ａに沿って、同様に傾斜する。
本実施形態では第二磁性体部９８は、底板部１１に設けられている態様を説明した。この変形例としては突条部１６に第二磁性体部９８を設けることもできる。即ち、下端に第一磁性体部９７が設けられた表示用移動部材１７０が、搭載部１０において前進するとき、表示用移動部材７０の摺動面であって第一磁性体部９７と磁力で引き合うことが可能な位置に第二磁性体部９８を設けることができる。第二磁性体部９８は搭載部１０の前端部、望ましくは前壁部１３の下端に接する位置から、後方に向けて任意の距離で連続的または断続的に設けることができる。
【００７５】
特に、搭載部１０の前端部以外に断続的に設けられる第二磁性体部９８を、上述する標準的な指標として応用することができる。例えば標準的な寸法のたばこ商品６０に関し残個数がＮ個以下であることを表示用移動部材１７０で表示報知する場合には、以下のような標準の指標を付すことができる。即ち上記標準の指標として、搭載部１０に最大に搭載された複数のたばこ商品６０のうち、後方からＮ個目のたばこ商品６０の底面に沿う底板部１１あるいは突条部１６に第二磁性体部９８を設けることができる。あるいは、上記後方からＮ個目のたばこ商品６０と後方からＮ＋１個面のたばこ商品６０との境界に沿う底板部１１あるいは突条部１６に第二磁性体部９８を設けてもよい。この標準の指標となる第二磁性体部９８は表示用移動部材１７０を付設する際の表示用移動部材１７０の起立姿勢を補助する作用も発揮される。
【００７６】
搭載されるたばこ商品６０が少なくなると、押板２０の押力がたばこ商品６０の残数に対し相対的に大きくなる。その結果、たばこ商品６０を前方から取り出したとき、搭載されるたばこ商品６０が暴れて搭載位置より上方に浮き上がり、あるいは搭載部１０より落脱する場合がある。このとき、暴れるたばこ商品６０に釣られて表示用移動部材１７０も落脱等する虞がある。これに対し、底板部１１において前壁部１３より後方に延伸する第二磁性体部９８を設けることによって、吸引部９９が構成され、表示用移動部材１７０の起立姿勢が補助されるため、表示用移動部材１７０の上記落脱等の問題が防止される。
【００７７】
＜第五実施形態＞
本実施形態は、表示用移動部材３０の代わりに表示用移動部材１８０が用いられること以外は、マガジン１００と同様に構成されている。したがって表示用移動部材１８０以外のマガジン構造の説明を割愛する。
図１４を用いて第五実施形態を説明する。図１４Ａは、第五実施形態に係るマガジンにおける表示用移動部材が商品に付設された状態を示す斜視図であり、図１４Ｂは、第五実施形態における表示移動部材の裏面図である。
【００７８】
本実施形態において用いられる表示用移動部材１８０は、左右方向に伸長する上部１８２と上部１８２の両端から下方に伸長する側部１８３とを有し、コの字形状の部材である。上部１８２と側部１８３の内側側面もコの字形状となっている。側部１８３の内側面の距離はたばこ商品６０の幅寸法と概略同等であり、また上部１８２の幅寸法は、たばこ商品６０の厚み寸法以下である。
【００７９】
表示用移動部材１８０は、上部１８２と側部１８３の内側側面によりたばこ商品６０の上面および両側面の３か所に当接可能な凹部が形成されている。図１４に示すとおり、たばこ商品６０の上面側から上記凹部をたばこ商品６０に当接させることにより表示用移動部材１８０をたばこ商品６０に載置することによってマガジン１００に付設する。表示用移動部材１８０は、たばこ商品６０に載置された状態において前記マガジンの正面側から視認される面を表示部１８１となす。
【００８０】
表示用移動部材１８０は、上述のとおり任意に決定されたたばこ商品６０自体に載置することができるため、確実に当該任意に決定されたたばこ商品６０とともに前進し、同時に搭載部１０の前端に到達する。
【００８１】
換言すると、本実施形態にかかる表示用移動部材１８０は、商品の上部に嵌合させる嵌合部を有している。搭載部１０に搭載された商品の中から任意に決定された商品の上部に表示用移動部材１８０に設けられた嵌合部を嵌合させることによって表示用移動部材をマガジンに付設することができる。本実施形態において、搭載部１０に搭載される商品はたばこ商品６０のように定型形状で形成された商品であることにより、上記嵌合部との嵌合により確実に表示用移動部材１８０を付設することができるため、好ましい。
【００８２】
表示用移動部材１８０は、正面側の面が表示部１８１となっている。表示部１８１は、たばこフェースに係らずにマガジン１００の正面側から視認可能な面である。表示部１８１に彩度あるいは明度の高い色を着色することによって、より視認性を向上させることができる。望ましくは、マガジン１００における前壁部１３（たとえば図４参照）の全体あるいは広い領域を示す色に対し、明度または彩度の少なくともいずれかが異なる色で表示部１８１を着色することが好ましい。またマガジン１００が什器に設置されることが予定される場合には、正面側から視認される什器面の色に対し、明度または彩度の少なくともいずれかが異なる色で表示部１８１を着色することが好ましい。
【００８３】
表示用移動部材１８０は搭載部１０の前端に到達した後、たばこ商品６０から取り外してもよい。あるいは表示用移動部材１８０は搭載部１０の前端に到達した後、載置されるたばこ商品６０を、上記任意に選択されたたばこ商品６０（つまり表示用移動部材１８０が載置されたたばこ商品６０）から、この後方に位置する他のたばこ商品６０に変更してもよい。
側部１８３の内側面には、テーパー部１８５が設けられている。図１４Ｂにより理解容易であるが、側部１８３の下方への伸長方向に対して略垂直に切断した断面において、側部１８３の内側面は、表示部１８１よりたばこ商品６０に沿って後方に伸長する当接内側面１８６を有する。そして、当接内側面１８６の端部から後方に向かって外側方向に傾斜するテーパー部１８５が形成されている。テーパー部１８５の存在により、任意に選択されたたばこ商品６０に載置された表示用移動部材１８０の表示部１８１を指などで軽く押して後方へとスライドさせて後方のたばこ商品６０の上部に上記凹部を当接させて載置させることが可能である。
【００８４】
本実施形態において用いられる表示用移動部材１８０は、以下の構成のマガジンに広く汎用することができる。即ち、上記マガジンとしては、少なくとも複数のたばこ商品６０が前後方向に一列に搭載される搭載部１０と、搭載部１０に沿って前後するように設けられた押板２０と、押板２０を前方に付勢する付勢部材（たとえばリール５０）と、を備える。
表示用移動部材１８０は、たばこ商品６０の上面および両側面の３か所に当接可能な凹部を有しており、任意に選択されたたばこ商品６０の上面側から上記凹部をたばこ商品に当接させることにより載置される。
【００８５】
表示用移動部材１８０は、たばこ商品６０への載置が容易である。しかも確実に任意に選択されたたばこ商品６０とともに前進し、かつ搭載部１０の前端に到達する。また表示用移動部材１８０をマガジン１００に付設するにおいて、マガジン１００に特段の構成を要しない。したがって規定の機能として残個数表示機能を備えない任意のマガジンに、表示用移動部材１８０を用いることによって、容易に上記任意のマガジンにおいて残個数表示機能を付与することができる。
【００８６】
本発明のマガジンにおける表示用移動部材および本発明の表示用移動部材は、さらに以下の態様を包含する。即ち、上述する表示用移動部材は、表示部よりも前方方向に位置する表示予告部および上記表示部と上記表示予告部を連結する腕部を更に設けた態様とすることができる。かかる態様の例に関し、図１５を用いて説明する。
図１５Ａは、表示予告部８７０を備える表示用移動部材８００の正面図である。図１５Ｂは、表示予告部８７０を備える表示用移動部材８００が付設されたマガジン３０１の概略部分斜視図であり、搭載されている複数の商品が所定数Ｎになる前の状態を示す。図１５Ｃは、表示予告部８７０を備える表示用移動部材８００が付設されたマガジン３０１の概略部分斜視図であり、搭載されている複数の商品が所定数Ｎであるときの状態を示す。マガジン３０１を用いて説明する本発明の態様では、具体的には所定数Ｎが１のときの例を示す。
尚、図１５Ｂおよび図１５Ｃにおいて付勢部材であるリール５０は図示省略している。また表示用移動部材８００およびマガジン３０１は、後述にて説明する事項以外は、図１２における表示用移動部材８０およびマガジン３００と同様の構成を備える。
【００８７】
図１５に示すマガジン３０１は、表示用移動部材８００を備える。表示用移動部材８００は、上端露出部８５０を有さず、かつ、表示予告部８７０および腕部８６０を備えること以外は、図１２に示す表示用移動部材８０と同様の構成を備えている（図１５Ａ）。
【００８８】
腕部８６０は、例えば、一方方向に伸長する棒状体あるいはプレート部材などの長尺部材を用いることができる。上記長尺部材は、一端を前方に向けた姿勢で、他端を表示用移動部材の任意の位置に接合して設けることができる。たとえば、上記長尺部材の上記他端を表示部８２と同一面内に接合することにより腕部８６０を表示用移動部材８００に固定することができる。上記接合とは、当接した状態を固定することができる手段であればよく、接着剤などによる接着、磁性体同士の吸引、あるいは長尺部材を着脱可能に表示用移動部材に取り付けることができる取り付け部を長尺部材の上記他端に設けることができる。
【００８９】
表示予告部８７０は、腕部８６０の上記一方の端部に設けることができる。図１５に示す腕部８６０は、一方方向に伸長する長尺部材であり、上記長尺部材の前端が上方に任意の角度で屈曲する屈曲端を有している。表示予告部８７０は、上記屈曲端を含む。上記屈曲端は、上記長尺部材の前端を下方に任意の角度で屈曲させることにより構成されてもよい。
【００９０】
表示予告部８７０を屈曲端として設けることにより、マガジン３００の正面側から視認される屈曲端の側面部、即ち、屈曲端の前方側の側面部を表示予告部８７０に含ませることにより、表示予告部８７０の視認面を任意に増大させることができる。
尚、腕部８６０に屈曲端を設けず、腕部８６０である長尺部材の前端面あるいは前端面を含む前端近傍を上記表示予告部とすることができる。
【００９１】
図１５Ｂおよび図１５Ｃに示す腕部８６０は、一方方向に伸長する長尺部材であり、表示用移動部材８００が搭載部１０に付設されたとき、上記長尺部材は、側壁部１２と平行な面において前後方向に伸長している。また上記長尺部材は、側壁部１２の上端面より上方に位置している。
特に搭載部１０の側壁部１２の上端面より上方であってたばこ商品６０の横側面に沿って腕部８６０を伸長させることによって、表示予告部８７０の前後方向の移動経路を確保し易い。
腕部８６０の一方の端部は、表示用移動部材８００の右側面露出部８３０の任意の位置に接合することができる。
【００９２】
図１５Ｂに示すとおり、マガジン３０１において、表示用移動部材８００は、搭載部１０における最後方に位置するたばこ商品６０ｂの前面に当接するよう付設されている。腕部８６０の前後方向の長さは、たばこ商品６０の２個分の厚み寸法と略同等の長さを有する。尚、他の実施態様と同様に、表示用移動部材８００の付設される位置は、任意に決定することができる。これにより表示部８２により表示報知される残個数を変更することができる。
表示用移動部材８００が前方に移動し、表示用移動部材８００の前に２個のたばこ商品６０が搭載された状態になったとき、表示予告部８７０が搭載部の前端に到達し表示状態となる。これによって残個数が残り少ないことがオペレータに予告的に表示報知される。
そして、図１５Ｃに示すとおり、表示用移動部材８００が搭載部１０の前端に到達したとき、表示部８２がマガジン正面から視認される表示状態となる。これによって残個数が残り１個であることがオペレータに表示報知される。
【００９３】
以上のとおり、表示予告部８７０を設けることにより、残個数が表示報知される前に、予告的に残個数が少ないことを表示報知することができる。つまり、搭載部１０に搭載されるたばこ商品６０が減少することにより、表示予告部８７０と表示部８２とが段階的にマガジン３０１の正面側より視認される。オペレータは、表示予告部８７０を視認することにより、たばこ商品６０の残数が残り少なくなったことを知り、さらにその後に表示部８２を視認することによって、正確に残個数が何個になったかを知ることができる。表示予告部８７０は、搭載部１０の前端に到達し、さらに表示用移動部材８００が前進するとき、搭載部１０の前壁部よりもさらに前方に突出してよい。搭載部１０の前壁部よりもさらに前方に突出する腕部８６０の長さが長くなるにつれて、オペレータに、さらに残個数が少なくなったこと段階的に報知することができる。
【００９４】
表示予告部を備える表示用移動部材の異なる態様の例として、図示省略する以下の態様を挙げることができる。
表示用移動部材における挟持部（例えば図１３における上部挟持部９１０など）に表示予告部を連結するために、Ｌ字状の腕部を用いてもよい。上記Ｌ字状の腕部は、搭載部に搭載される商品間に挟持される挟持部から商品の前面または背面に略平行に沿って伸長し、商品の上側面、横側面または下側面のいずれかに沿う方向に屈曲するＬ字状の部材である。Ｌ字状の腕部は、商品間に挟持される挟持部と、商品の上側面、横側面または下側面のいずれかに沿って前方に伸長する露出部を備える。上記挟持部と上記露出部とは、商品の前面または背面と、上側面、横側面または下側面のいずれかとの面で構成される角度と等しい角度で屈曲してよいが、これに限定されない。Ｌ字状の腕部における露出部であって搭載部の前方に面する端面あるいは当該端面を含む近傍を表示予告部とすることができる。
【００９５】
あるいは、表示予告部を備える表示用移動部材の異なる態様の例として、図示省略する以下の態様を挙げることができる。
即ち、図１４に示すとおり、たばこ商品６０の上面および両側面の３か所に当接可能な凹部を有し、たばこ商品６０の上面側から上記凹部をたばこ商品６０に当接させることにより載置される表示用移動部材１８０に表示予告部を設けることができる。
上記凹部は、上部１８２と側部１８３とより構成されている。側部１８３の前面に上記腕部の一端を接合し、他端を前方に伸長させるとともに、当該他端に表示予告部を設けることができる。
【００９６】
尚、表示予告部は、上述する腕部の適切な端部にさらに別体の部材を設置して、これを表示予告部としてもよい。
【００９７】
上記実施形態は、以下の技術思想を包含するものである。
（１）複数の商品が前後方向に一列に搭載される搭載部と、前記搭載部に沿って前後移動するように設けられた押板と、前記押板を前方に付勢する付勢部材と、を備えるマガジンであって、前記搭載部に搭載されている複数の前記商品のうち任意に選択された一の商品の前面、上面、および側面の少なくともいずれかに当接して付設される表示用移動部材を備え、前記表示用移動部材は、表示部を有し、任意に選択された前記一の商品の前進に連動して前記表示用移動部材が前進し、前記一の商品が最前位置に到達することにより、前記表示用移動部材も前記搭載部の最前部に到達することを特徴とするマガジン。
（２）前記表示用移動部材は、任意に選択された一の商品と、当該商品の前側に隣り合う他の商品との間に挟持される挟持領域を有する上記（１）に記載のマガジン。
（３）前記挟持領域の一部に前記表示部を備える上記（２）に記載のマガジン。
（４）前記挟持領域から連続するとともに、商品の外郭より外側に突出して露出する露出部を有し、前記露出部の少なくとも一部が前記表示部である上記（２）または（３）に記載のマガジン。
（５）前記搭載部は、前記商品の並列方向を規定する側壁部を備え、前記露出部は、搭載される前記商品の右側に突出する右側面露出部および左側に突出する左側面露出部を含み、前記右側面露出部および前記左側面露出部には、前記側壁部の上端部に係合する係合部が形成されており、前記上端部と前記係合部とを係合させることによって、前記表示用移動部材が支持される上記（４）に記載のマガジン。
（６）前記表示用移動部材は、第一磁性体部を有し、前記搭載部の前端に到達した前記表示用移動部材における前記第一磁性体部と磁力により引き合う第二磁性体部が前記搭載部の前端近傍に設けられている上記（１）から（５）のいずれか一項に記載のマガジン。
（７）前記表示用移動部材は、下端に前記第一磁性体部を有し、前記搭載部は、前記商品を支持する底板部を有するとともに、前端部近傍に前記第二磁性体を有し、前記底板部に沿って前方に摺動する前記表示用移動部材は、前記第一磁性体部と前記第二磁性体部とが引き合うことによって、起立姿勢を補助される上記（６）に記載のマガジン。
（８）前記押板と前記搭載部の前端とを連結する連結部材を備え、一方、前記表示用移動部材が、前記挟持領域の下方において前記商品の下側に突出するとともに前後方向に貫通する貫通孔が設けられた下側突出部を有し、前記連結部材が前記貫通孔を貫通している上記（２）から（７）のいずれか一項に記載のマガジン。
（９）前記付勢部材が巻きバネを含み、前記連結部材が、前記巻きバネまたは前記巻きバネからの延長部材である上記（８）に記載のマガジン。
（１０）前記挟持領域を含む挟持面の厚みが、前記搭載部において前記押板の最後部位置から最前部位置までの商品搭載可能領域における前後方向の最大距離の値から、一つの前記商品の厚み寸法に前記搭載部に搭載可能な前記商品の最大数を乗じた長さの値を引いた値以下である上記（２）から（９）のいずれか一項に記載のマガジン。
（１１）前記表示用移動部材が、前記商品の上面および両側面の３か所に当接可能な凹部を有し、前記商品の上面側から前記凹部を前記商品に当接させることにより前記表示用移動部材を載置して付設可能である上記（１）に記載のマガジン。
（１２）前記表示用移動部材は、前記表示部よりも前方方向に位置する表示予告部および前記表示部と前記表示予告部を連結する腕部を備える上記（１）から（１１）のいずれか一項に記載のマガジン。
（１３）前記腕部が、一方方向に伸長する長尺部材であり、前記長尺部材の前端は、上方または下方に任意の角度で屈曲する屈曲端を有し、前記表示予告部は、前記屈曲端を含む上記（１２）に記載のマガジン。
（１４）複数の商品が前後方向に一列に搭載される搭載部と、前記搭載部に沿って前後するように設けられた押板と、前記押板を前方に付勢する付勢部材と、を備えるマガジンに用いられる表示用移動部材であって、前記搭載部に搭載される前後に隣り合う前記商品の間に挟持される挟持部を有し、前記挟持部が、商品の幅寸法以下の幅寸法および前記搭載部の前端部の高さ寸法以上の高さ寸法を備え、前記搭載部の前記前端部に位置するとき、前記前端部より露出する面が表示部であることを特徴とする表示用移動部材。
（１５）複数の商品が前後方向に一列に搭載される搭載部と、前記搭載部に沿って前後するように設けられた押板と、前記押板を前方に付勢する付勢部材と、を備えるマガジンに用いられる表示用移動部材であって、前記商品の上面および両側面の３か所に当接可能な凹部を有し、前記商品の上面側から前記凹部を前記商品に当接させることにより載置されるとともに、載置された状態において前記マガジンの正面側から視認される面を表示部となすことを特徴とする表示用移動部材。
（１６）前記表示部よりも前方方向に位置する表示予告部および前記表示部と前記表示予告部を連結する腕部を備える上記（１４）または（１５）に記載の表示用移動部材。
（１７）前記腕部が、一方方向に伸長する長尺部材であり、前記長尺部材の前端は、上方または下方に任意の角度で屈曲する屈曲端を有し、前記表示予告部は、前記屈曲端を含む上記（１６）に記載の表示用移動部材。
【符号の説明】
【００９８】
１０・・・搭載部、１１・・・底板部、１１ａ・・・スリット、１１ｂ・・・係止部、１２・・・側壁部、１２ｃ・・・上端部、１３・・・前壁部、１３ａ・・・前板部、１３ｂ・・・後板部、１４・・・後壁部、１４ａ・・・前板部、１４ｂ・・・後板部、１６・・・突条部、１６ａ・・・傾斜部、１７・・・ラベルホルダ、１８・・・ラベルホルダ、１９・・・ブレード、２０・・・押板、２１・・・摺動板、２２・・・背板、２５・・・リール保持部、３０・・・表示用移動部材、３１・・・表示部、３２・・・挟持部、３３・・・脚部、３４・・・底面凹部、５０・・・リール、５１・・・リール紐、５２・・・留め具、５３・・・ケース、６０・・・たばこ商品、７０・・・表示用移動部材、７１・・・表示部、７３・・・脚部、７４・・・連結部、７５・・・切欠部、７６・・・挟持部、７７・・・窓部、７８・・・開口部、７９・・・下側突出部、８０・・・表示用移動部材、８１・・・挟持部、８２・・・表示部、８３・・・係合部、８４・・・側部、８５・・・下垂部、８７・・・下端、９０・・・第一磁性体部、９１・・・第二磁性体部、９２・・・吸引部、９３・・・挟持部、９６・・・下端面、９７・・・第一磁性体部、９８・・・第二磁性体部、９９・・・吸引部、１００・・・マガジン、１６０ａ・・・傾斜面、１７０・・・表示用移動部材、１８０・・・表示用移動部材、１８１・・・表示部、１８２・・・上部、１８３・・・側部、１８５・・・テーパー部、１８６・・・当接内側面、２００・・・マガジン、３００・・・マガジン、３０１・・・マガジン、４００・・・マガジン、７０２・・・下端、８００・・・表示用移動部材、８１０・・・上部挟持部、８２０・・・下部挟持部、８３０・・・右側面露出部、８４０・・・左側面露出部、８５０・・・上端露出部、８６０・・・腕部、８７０・・・表示予告部、９１０・・・上部挟持部、９２０・・・下部挟持部、９３０・・・表示部
【図１】
2014161609.tif 000003
【図２】
2014161609.tif 000004
【図３】
2014161609.tif 000005
【図４】
2014161609.tif 000006
【図５】
2014161609.tif 000007
【図６】
2014161609.tif 000008
【図７】
2014161609.tif 000009
【図８】
2014161609.tif 000010
【図９】
2014161609.tif 000011
【図１０】
2014161609.tif 000012
【図１１】
2014161609.tif 000013
【図１２】
2014161609.tif 000014
【図１３】
2014161609.tif 000015
【図１４】
2014161609.tif 000016
【図１５】
2014161609.tif 000017